(57)【要約】【課題】物品の保護機能に優れると共に、汎用性を有し、かつ保管スペースの省スペース化を図ることができるシートセットを提供することを課題とする。【解決手段】本考案に係るシートセットは、左右方向の一方側から他方側に連接され、組立時に四角筒状部を構成する４つの側面パネルと、組立時に４つの側面パネルの上端を封止可能な１又は複数の天面形成パネルと、組立時に４つ側面パネルの下端を封止可能な１又は複数の底面形成パネルとを備える箱用シートと、この箱用シートから組み立てられる包装箱に収容される物品保持用シートとを備えるシートセットであって、上記物品保持用シートが、組立状態で対向する一対の側面パネルの左右方向長さよりも長さの小さい複数の短帯部と、上記一対の側面パネルの左右方向長さよりも長さの大きい複数の長帯部とが幅方向に連接され、連接方向の両端領域及び中央領域に上記長帯部が配置されている。【選択図】図３
0003207321.tif 000002
【実用新案登録請求の範囲】
【請求項１】
左右方向の一方側から他方側に連接され、組立時に四角筒状部を構成する４つの側面パネルと、組立時に４つの側面パネルの上端を封止可能な１又は複数の天面形成パネルと、組立時に４つ側面パネルの下端を封止可能な１又は複数の底面形成パネルとを備える箱用シートと、
この箱用シートから組み立てられる包装箱に収容される物品保持用シートと
を備えるシートセットであって、
上記物品保持用シートが、
組立状態で対向する一対の側面パネルの左右方向長さよりも長さの小さい複数の短帯部と、上記一対の側面パネルの左右方向長さよりも長さの大きい複数の長帯部とが幅方向に連接され、
連接方向の両端領域及び中央領域に上記長帯部が配置されているシートセット。
【請求項２】
上記一対の側面パネルの左右方向長さに対する上記長帯部の長さの比が１．００５以上１．０３以下である請求項１に記載のシートセット。
【請求項３】
上記複数の短帯部及び長帯部の連接方向の合計長さが、組立状態で対向する他対の側面パネルの左右方向長さよりも大きい請求項１又は請求項２に記載のシートセット。
【請求項４】
上記短帯部及び長帯部の幅が１ｃｍ以上４ｃｍ以下である請求項１、請求項２又は請求項３に記載のシートセット。
【請求項５】
左右方向の一方側から他方側に連接され、組立時に四角筒状部を構成する４つの側面パネルと、組立時に４つの側面パネルの上端を封止可能な１又は複数の天面形成パネルと、組立時に４つの側面パネルの下端を封止可能な１又は複数の底面形成パネルとを備える箱用シートに収容される物品保持用シートであって、
組立状態で対向する一対の側面パネルの左右方向長さよりも長さの小さい複数の短帯部と、上記一対の側面パネルの左右方向長さよりも長さの大きい複数の長帯部とが幅方向に連接され、
連接方向の両端領域及び中央領域に上記長帯部が配置されている物品保持用シート。
【考案の詳細な説明】
【技術分野】
【０００１】
本考案は、シートセット及び物品保持用シートに関する。
【背景技術】
【０００２】
段ボールシートを組み立ててなる包装箱が物品の保管用、運搬用等として広く用いられている。また、この包装箱と共に、包装箱内で物品を安定的に保持するための保持部材が用いられることもある。
【０００３】
このような保持部材を有する梱包部材として、例えば「梱包部材」（特開２００６−１４３３１７号公報参照）が発案されている。
【先行技術文献】
【特許文献】
【０００４】
【特許文献１】特開２００６−１４３３１７号公報
【考案の概要】
【考案が解決しようとする課題】
【０００５】
上記公報に記載の梱包部材は、包装箱に収容される物品を左右方向から挟持する一対の発泡スチロールからなる弾性体を有する。上記一対の弾性体は、物品と対向する側の面に凹部を有し、この凹部に物品を嵌合させることで物品を挟持する。上記梱包部材は、一対の弾性体によって物品を挟持することで物品に加えられる外部からの衝撃を緩和することができるとされている。
【０００６】
しかしながら、上記梱包部材は、一対の弾性体の凹部を予め物品の形状に合わせて形成しておく必要がある。また、上記梱包部材は、一対の弾性体が略直方体状の発泡スチロールからなるため、保管スペースが大きくなる。
【０００７】
本考案は、このような不都合に鑑みてなされたものであり、物品の保護機能に優れると共に、汎用性を有し、かつ保管スペースの省スペース化を図ることができるシートセット及び物品保持用シートを提供することを課題とする。
【課題を解決するための手段】
【０００８】
上記課題を解決するためになされた本考案に係るシートセットは、左右方向の一方側から他方側に連接され、組立時に四角筒状部を構成する４つの側面パネルと、組立時に４つの側面パネルの上端を封止可能な１又は複数の天面形成パネルと、組立時に４つの側面パネルの下端を封止可能な１又は複数の底面形成パネルとを備える箱用シートと、この箱用シートから組み立てられる包装箱に収容される物品保持用シートとを備えるシートセットであって、上記物品保持用シートが、組立状態で対向する一対の側面パネルの左右方向長さよりも長さの小さい複数の短帯部と、上記一対の側面パネルの左右方向長さよりも長さの大きい複数の長帯部とが幅方向に連接され、連接方向の両端領域及び中央領域に上記長帯部が配置されている。
【０００９】
当該シートセットにあっては、上記物品保持用シートが、組立状態で対向する一対の側面パネルの左右方向と上記複数の短帯部及び複数の長帯部の長さ方向とが平行となるように包装箱内に収容される。上記物品保持用シートは、上記一対の側面パネルの左右方向長さよりも長さの小さい複数の短帯部と、上記一対の側面パネルの左右方向長さよりも長さの大きい複数の長帯部とが幅方向に連接されており、複数の長帯部の長さ方向の両端縁を一対の側面パネルと直角に配設される他対の側面パネルの内面に当接した状態で、包装箱内に安定的に保持される。また、上記物品保持用シートは、上記複数の短帯部及び複数の長帯部が幅方向に連接されているので、この連接部分を物品の外形に合わせて折り曲げることができる。そのため、当該シートセットは、例えば上記物品保持用シートの複数の長帯部の長さ方向の両端縁を他対の側面パネルの内面に当接しつつ、包装箱内に載置された物品の上面側を被覆するように配設することで種々の外形を有する物品を包装箱内において保持することができる。特に、上記物品保持用シートは、複数の短帯部及び複数の長帯部の連接方向の両端領域及び中央領域に長帯部が位置しているため、この物品保持用シートの両端部及び中央部が他対の側面パネルに係止されるので包装箱内における安定性が高い。さらに、上記物品保持用シートは、１枚のシート状部材であるため、保管スペースを小さくすることができる。従って、当該シートセットは、物品の保護機能に優れると共に、汎用性を有し、かつ保管スペースの省スペース化を図ることができる。
【００１０】
上記一対の側面パネルの左右方向長さに対する上記長帯部の長さの比としては、１．００５以上１．０３以下が好ましい。このように、上記一対の側面パネルの左右方向長さに対する上記長帯部の長さの比が上記範囲内であることによって、複数の長帯部を他対の側面パネルの内面によって容易かつ確実に係止することができる。
【００１１】
上記複数の短帯部及び長帯部の連接方向の合計長さが、組立状態で対向する他対の側面パネルの左右方向長さよりも大きいとよい。このように、上記複数の短帯部及び長帯部の連接方向の合計長さが、組立状態で対向する他対の側面パネルの左右方向長さよりも大きいことによって、上記物品保持用シートを複数の短帯部及び複数の長帯部の連接部分で折り曲げつつ一対の側面パネルの両端間亘って配設することが可能となり、包装箱に収容される物品をより的確に保持することができる。
【００１２】
上記短帯部及び長帯部の幅としては、１ｃｍ以上４ｃｍ以下が好ましい。このように、上記短帯部及び長帯部の幅が上記範囲内であることによって、短帯部及び長帯部の連接部分を物品の外形に沿って的確に折り曲げることができると共に、折り曲げ状態における物品保護機能を十分に高めることができる。
【００１３】
また、上記課題を解決するためになされた本考案に係る物品保持用シートは、左右方向の一方側から他方側に連接され、組立時に四角筒状部を構成する４つの側面パネルと、組立時に４つの側面パネルの上端を封止可能な１又は複数の天面形成パネルと、組立時に４つの側面パネルの下端を封止可能な１又は複数の底面形成パネルとを備える箱用シートに収容される物品保持用シートであって、組立状態で対向する一対の側面パネルの左右方向長さよりも長さの小さい複数の短帯部と、上記一対の側面パネルの左右方向長さよりも長さの大きい複数の長帯部とが幅方向に連接され、連接方向の両端領域及び中央領域に上記長帯部が配置されている。
【００１４】
当該物品保持用シートは、組立状態で対向する一対の側面パネルの左右方向長さよりも長さの小さい複数の短帯部と、上記一対の側面パネルの左右方向長さよりも長さの大きい複数の長帯部とが幅方向に連接され、連接方向の両端領域及び中央領域に上記長帯部が配置されているので、上述のように物品の保護機能に優れると共に、汎用性を有し、かつ保管スペースの省スペース化を図ることができる。
【００１５】
なお、本考案において、「左右方向」とは、箱用シートを組み立ててなる包装箱の想定される一般的な使用態様における水平方向をいい、「上」及び「下」とは、想定される一般的な使用態様における上下を意味するが、上記包装箱の使用時の向きを制限することを企図するものではない。
【考案の効果】
【００１６】
以上説明したように、本考案に係るシートセット及び物品保持用シートは、物品の保護機能に優れると共に、汎用性を有し、かつ保管スペースの省スペース化を図ることができる。
【図面の簡単な説明】
【００１７】
【図１】本考案の一実施形態に係る箱用シートを示す模式的平面図である。
【図２】本考案の一実施形態に係る物品保持用シートを示す模式的平面図である。
【図３】図１の箱用シートから組み立てられる包装箱に図２の物品保持用シートを収容した状態を示す模式的斜視図である。
【図４】図１の箱用シートから組み立てられる包装箱に図２の物品保持用シートを収容した状態を示す模式的平面断面図である。
【図５】図２の物品保持用シートとは異なる実施形態に係る物品保持用シートを示す模式的平面図である。
【図６】図１の箱用シートから組み立てられる包装箱に図５の物品保持用シートを収容した状態を示す模式的斜視図である。
【考案を実施するための形態】
【００１８】
以下、適宜図面を参照しつつ、本考案の実施の形態を詳説する。
【００１９】
［シートセット］
当該シートセットは、左右方向の一方側から他方側に連接され、組立時に四角筒状部を構成する４つの側面パネルと、組立時に複数の側面パネルの上端を封止可能な１又は複数の天面形成パネルと、組立時に複数の側面パネルの下端を封止可能な１又は複数の底面形成パネルとを備える箱用シートと、この箱用シートから組み立てられる包装箱に収容される物品保持用シートとを備える。以下、上記箱用シート及び物品保持用シートについてそれぞれ説明する。
【００２０】
＜箱用シート＞
図１の箱用シート１は１枚のシートからなる。図１の箱用シート１は、左右方向の一方側から他方側に連接され、組立時に四角筒状部を構成する第１側面パネル２、第２側面パネル３、第３側面パネル４及び第４側面パネル５と、第１側面パネル２及び第３側面パネル４の上縁から延出する一対の上側外フラップ６，７と、第２側面パネル３及び第４側面パネル５の上縁から延出する一対の上側内フラップ８，９と、第１側面パネル２乃至第４側面パネル５の下縁から延出する４つの底フラップ（第１底フラップ１０乃至第４底フラップ１３）とを備える。また、図１の箱用シート１は、第１側面パネル２の第２側面パネル３と連接される端縁の反対側の端縁から延出する糊代部１４を備える。図１の箱用シート１は、一対の上側外フラップ６，７と一対の上側内フラップ８，９とが組立時に第１側面パネル２乃至第４側面パネル５の上端を封止可能な天面形成パネルとして構成され、第１底フラップ１０乃至第４底フラップ１３が組立時に第１側面パネル２乃至第４側面パネル５の下端を封止可能な底面形成パネルとして構成されている。
【００２１】
箱用シート１に用いられるシートとしては、箱用シート１を組み立ててなる包装箱の形状を維持できる程度の強度を有し、かつ適度な反発力を有している限り特に限定されるものではなく、例えば段ボールシート、厚紙等の紙製シート、合成樹脂製シート、紙製シートと合成樹脂製シートとの積層シート等が挙げられる。中でも、加工性、衝撃吸収性、取扱性、リサイクル性、経済性等の点から紙製のシートが好ましく、段ボールシートが特に好ましい。箱用シート１を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２２】
第１側面パネル２乃至第４側面パネル５は各々略方形状に形成されている。第１側面パネル２及び第３側面パネル４は略同形状に形成されている。また、第２側面パネル３及び第４側面パネル５は略同形状に形成されている。また、第１側面パネル２及び第３側面パネル４の左右方向長さは第２側面パネル３及び第４側面パネル５の左右方向長さよりも大きい。つまり、箱用シート１は、第１側面パネル２及び第３側面パネル４が一対の長辺側面パネルとして構成され、第２側面パネル３及び第４側面パネル５が一対の短辺側面パネルとして構成されている。
【００２３】
第１側面パネル２乃至第４側面パネル５の上下方向長さは、箱用シート１を組み立ててなる包装箱に収容する物品のサイズによって適宜設定可能であるが、例えば５ｃｍ以上２０ｃｍ以下程度とすることができる。第１側面パネル２及び第３側面パネル４の左右方向長さとしては、箱用シート１を組み立ててなる包装箱に収容する物品のサイズによって適宜設定可能であるが、例えば１０ｃｍ以上５０ｃｍ以下程度とすることができる。また、第２側面パネル３及び第４側面パネル５の左右方向長さとしては、箱用シート１を組み立ててなる包装箱に収容する物品のサイズによって適宜設定可能であるが、例えば５ｃｍ以上４０ｃｍ以下程度とすることができる。
【００２４】
一対の上側外フラップ６，７及び一対の上側内フラップ８，９は、各々略矩形状に形成されている。一対の上側外フラップ６，７は略同形状に形成されている。また、一対の上側内フラップ８，９は略同形状に形成されている。また、一対の上側外フラップ６，７の左右方向長さは第１側面パネル２及び第３側面パネル４の左右方向長さと略等しく、一対の上側内フラップ８，９の左右方向長さは第２側面パネル３及び第４側面パネル５の左右方向長さと略等しい。さらに、一対の上側外フラップ６，７及び一対の上側内フラップ８，９の延出方向長さは、第２側面パネル３及び第４側面パネル５の左右方向長さの略１／２とされている。
【００２５】
第１底フラップ１０乃至第４底フラップ１３は、ワンタッチタイプの構成を有する。第１側面パネル２及び第３側面パネル４の下縁から延出する第１底フラップ１０及び第３底フラップ１２は、それぞれ長辺底フラップとして構成されている。第１底フラップ１０及び第３底フラップ１２は、略同一形状に形成されている。第１底フラップ１０及び第３底フラップ１２は、延出方向の先端縁に包装箱の底面部の形成時に互いに係合する略Ｖ字状の溝部１０ａ，１２ａを有する。また、第１底フラップ１０は、第２側面パネル３側の基端縁から先端側に亘って左右方向内側に傾斜する折り曲げ容易線１０ｂを有し、第３底フラップ１２は、第４側面パネル５側の基端縁から先端側に亘って左右方向内側に傾斜する折り曲げ容易線１２ｂを有する。
【００２６】
第２底フラップ１１及び第４底フラップ１３は、それぞれ短辺底フラップとして構成されている。第２底フラップ１１及び第４底フラップ１３は、略同一形状に形成されている。第２底フラップ１１は、第１側面パネル２側の側縁が基端縁から先端側に亘って左右方向内側に傾斜しており、かつ第１側面パネル２と反対側の側縁が基端縁から先端側に亘って略円弧状に形成されている。また、第４底フラップ１３は、第３側面パネル４側の側縁が基端縁から先端側に亘って左右方向内側に傾斜しており、かつ第３側面パネル４と反対側の側縁が基端縁から先端側に亘って略円弧状に形成されている。
【００２７】
（組立手順）
次に、箱用シート１の組立手順を説明する。まず、第１側面パネル２を第２側面パネル３の内面に折り重ね、続いて第４側面パネル５を第３側面パネル４の内面に折り重ね、糊代部１４を第４側面パネル５の内面に貼着する。これにより、第１側面パネル２の連接方向の他端側端縁及び第４側面パネル５の連接方向の一端側端縁が連結され無端状に形成される。またこの際、４つの底フラップ１０〜１３を４つの側面パネル２〜５の内面側に折り返し、さらに第１底フラップ１０の折り曲げ容易線１０ｂの左右方向外側部分及び第３底フラップ１２の折り曲げ容易線１２ｂの左右方向外側部分を底面側に折り返しておく。そのうえ、第１底フラップ１０の折り返し部分に第２底フラップ１１の下面を貼り合わせ、かつ第３底フラップ１２の折り返し部分に第４底フラップ１３の下面を貼り合わせる。箱用シート１は、例えばかかる状態においてユーザに提供される。
【００２８】
次に、ユーザは、無端状に形成された第１側面パネル２乃至第４側面パネル５を四角筒状に広げる。この際、４つの底フラップ１０〜１３は、水平方向に広がりながら第１底フラップ１０の溝部１０ａ及び第３底フラップ１２の溝部１２ａが互いに係合されることで包装箱の底面部を形成する。なお、箱用シート１は、一対の上側内フラップ８，９を内側に折り曲げ、続いて一対の上側外フラップ６，７を先端同士を突き合わせるように内側に折り曲げることで天面部を形成することができる。但し、この天面部は、底面部まで形成した状態の包装箱内に物品を収容し、さらに後述する本発明に係る物品保持用シート２１を収容した後に形成される。
【００２９】
＜物品保持用シート＞
図２の物品保持用シート２１は１枚の段ボールシートからなる。当該物品保持用シート２１は、箱用シート１の組立状態で対向する第２側面パネル３及び第４側面パネル５の左右方向長さよりも長さ（長手方向長さ）の小さい複数の短帯部２２と、第２側面パネル３及び第４側面パネル５の左右方向長さよりも長さ（長手方向長さ）の大きい複数の長帯部２３とを備え、複数の短帯部２２及び複数の長帯部２３が幅方向（短手方向）に連接されている。各短帯部２２及び各長帯部２３は略矩形状に形成されている。当該物品保持用シート２１は、複数の短帯部２２及び複数の長帯部２３が連接されることで、全体としてこの連接方向を長手方向とする略矩形状に形成されている。当該物品保持用シート２１は、複数の短帯部２２及び複数の長帯部２３の連接方向の両端領域及び中央領域に複数の長帯部２３が配置されている。
【００３０】
当該物品保持用シート２１は、複数の短帯部２２が幅方向に連接されることで構成される略矩形状の短帯部群２４と、複数の長帯部２３が幅方向に連接されることで構成される略矩形状の長帯部群２５とが交互に配置されている。具体的には、当該物品保持用シート２１は、長帯部群２５が連接方向の両端部及び中央部に配置され、両端部に配置される一対の長帯部群２５及び中央部に配置される長帯部群２５の間に一対の短帯部群２４が配置されている。各長帯部群２５における複数の長帯部２３の長手方向の両端縁は、各短帯部群２４における複数の短帯部２２の長手方向の両端縁よりも外側に突出している。なお、連接方向中央部及び連接方向両端部に配置される長帯部群２５の突出端縁は同一直線状に位置している。
【００３１】
＜包装体＞
図３及び図４を参照して、当該物品保持用シート２１を図１の箱用シート１から組み立てられる包装箱３１に収容した状態について説明する。図３及び図４では、包装箱３１を底面部まで組み立てた状態でこの包装箱３１の底面部に物品Ｘが載置され、さらにこの物品Ｘの上面側を被覆するように当該物品保持用シート２１が収容されている。当該物品保持用シート２１は、包装箱３１の第２側面パネル３及び第４側面パネル５の左右方向と複数の短帯部２２及び複数の長帯部２３の長さ方向とが平行になるよう包装箱３１内に収容されている。当該物品保持用シート２１は、複数の長帯部２３の長さが第２側面パネル３及び第４側面パネル５の左右方向長さよりも大きいので、複数の長帯部２３の長さ方向の両端縁を第１側面パネル２及び第３側面パネル４の内面に係止することで摩擦力によって包装箱３１内に安定的に保持されている。また、当該物品保持用シート２１は、複数の短帯部２２の長さが第２側面パネル３及び第４側面パネル５の左右方向長さよりも小さいので、複数の短帯部２２の長さ方向の両端縁は第１側面パネル２及び第３側面パネル４の内面に当接しておらず、これにより包装箱３１に対する着脱性が高められ、包装箱３１内で所望の形状に折り曲げやすい。当該物品保持用シート２１は、複数の短帯部２２及び複数の長帯部２３の連接方向の両端縁が第２側面パネル３及び第４側面パネル５の内面に当接しており、上記連接方向の横ずれが防止されている。なお、当該物品保持用シート２１は、複数の短帯部２２の長さが一対の短辺側面パネル（第２側面パネル３及び第４側面パネル５）の左右方向長さより短く、かつ複数の長帯部２３の長さが一対の短辺側面パネル（第２側面パネル３及び第４側面パネル５）の左右方向長さよりも大きいので、当該物品保持用シート２１は一対の長辺側面パネル（第１側面パネル２及び第３側面パネル４）の左右方向に沿って折れ曲がるように包装箱３１内に収容されている。これにより、当該物品保持用シート２１は、物品Ｘを一対の長辺側面パネルの左右方向の両側から挟むように包装箱３１内に保持することができるので、物品Ｘの長辺方向への横ずれを容易に抑制することができ、包装箱３１内での物品の安定性を向上することができる。
【００３２】
当該物品保持用シート２１を形成する段ボールとしては、上述の箱用シート１を形成する段ボールと同様のものを用いることができる。当該物品保持用シート２１は、段ボールシートの中芯の稜線方向が複数の短帯部２２及び複数の長帯部２３の長手方向と平行であることが好ましい。このように、段ボールシートの中芯の稜線方向と複数の短帯部２２及び複数の長帯部２３の長手方向とが平行であることによって、短帯部２２と長帯部２３との連接部分を折り曲げやすい。また、段ボールシートの中芯の稜線方向と複数の短帯部２２及び複数の長帯部２３の長手方向とが平行であることによって、上記長手方向における圧縮強度が向上されるので、複数の長帯部２３の長手方向両端縁を包装箱３１の第１側面パネル２及び第３側面パネル４の内面に係止した状態での形状安定性が向上する。
【００３３】
各短帯部２２及び長帯部２３の連接部分には折り曲げ容易線が形成されている。この折り曲げ容易線としては、特に限定されるものではなく、例えば一定間隔で形成される複数のスリットや、シート材の一方側面を筋押しして形成される罫線によって形成されてもよいが、１又は複数のスリットと、シート材の一方側面を筋押しして形成される１又は複数の罫線とが交互に一列に接続されることで形成されるリード罫線であることが好ましい。上記折り曲げ容易線をリード罫線とすることによって、各短帯部２２及び長帯部２３の連接部分を無理なく折り曲げることができるので、当該物品保持用シート２１を物品Ｘの外形に対応して折り曲げやすい。なお、当該物品保持用シート２１は、物品Ｘの外形に対応して折り曲げやすいように、特定の折り曲げ容易線をハーフカット線等によって形成してもよい。
【００３４】
各短帯部２２は略同一形状に形成されている。第２側面パネル３及び第４側面パネル５の左右方向長さに対する短帯部２２の長さの比の下限としては、０．８が好ましく、０．９がより好ましい。一方、上記長さの比の上限としては、０．９９５が好ましく、０．９９がより好ましい。上記長さの比が上記下限に満たないと、包装箱３１に収容した状態で第１側面パネル２及び第３側面パネル４の内面と複数の短帯部２２との間隔が大きくなり過ぎて、物品Ｘの保護機能が不十分となるおそれがある。逆に、上記長さの比が上記上限を超えると、第１側面パネル２及び第３側面パネル４の内面と複数の短帯部２２の長手方向の両端縁とが干渉して当該物品保持用シート２１の包装箱３１に対する着脱性が低下するおそれがある。
【００３５】
各短帯部２２の幅の下限としては、１ｃｍが好ましく、１．５ｃｍがより好ましい。一方、各短帯部２２の幅の上限としては、４ｃｍが好ましく、３ｃｍがより好ましい。上記幅が上記下限に満たないと、当該物品保持用シート２１が複数の短帯部２２の連接方向に不必要に折れ曲がり、包装箱３１に収容した物品Ｘの安定性が低下するおそれがある。逆に、上記幅が上記上限を超えると、当該物品保持用シート２１を物品Ｘの外形に沿って的確に折り曲げられないおそれがある。
【００３６】
当該物品保持用シート２１における複数の短帯部２２及び複数の長帯部２３の合計個数に対する短帯部２２の個数の比の下限としては、０．２が好ましく、０．３がより好ましい。一方、上記比の上限としては、０．６が好ましく、０．５がより好ましい。上記比が上記下限に満たないと、相対的に長帯部２３の個数が多くなることで当該物品保持用シート２１の包装箱３１に対する着脱性が低下するおそれがある。逆に、上記比が上記上限を超えると、当該物品保持用シート２１を第１側面パネル２及び第３側面パネル４の内面間に安定的に保持することができないおそれがある。
【００３７】
当該物品保持用シート２１における複数の短帯部２２及び複数の長帯部２３の合計個数に対する各短帯部群２４における短帯部２２の個数の比の下限としては、０．１が好ましく、０．２がより好ましい。一方、上記比の上限としては、０．３が好ましく、０．２５がより好ましい。上記比が上記下限に満たないと、相対的に長帯部２３の個数が多くなることで当該物品保持用シート２１の包装箱３１に対する着脱性が低下するおそれがある。逆に、上記比が上記上限を超えると、長帯部群２５同士の間隔が大きくなり過ぎて当該物品保持用シート２１を第１側面パネル２及び第３側面パネル４の内面間に安定的に保持することができないおそれがある。
【００３８】
複数の短帯部２２及び複数の長帯部２３の連接方向の両端に位置する一対の長帯部２３は、連接方向外側縁に一対の略円弧状の切欠き２６を有する。また、上記一対の長帯部２３の外側縁の長手方向の両端側は面取りされている。これにより、当該物品保持用シート２１は、一対の切欠き２６をつまみ部として使用することで、包装箱３１への着脱作業の容易化を向上することができる。
【００３９】
各長帯部２３は、上述した両端の一対の長帯部２３が切欠き２６を有し、かつ外側縁の長手方向の両端側が面取りされている以外、同一形状に形成されている。第２側面パネル３及び第４側面パネル５の左右方向長さに対する長帯部２３の長さの比の下限としては、１．００５が好ましく、１．０１がより好ましい。一方、上記比の上限としては、１．０３が好ましく、１．０２がより好ましい。上記比が上記下限に満たないと、当該物品保持用シート２１を第１側面パネル２及び第３側面パネル４の内面間に安定的に保持することができないおそれがある。逆に、上記比が上記上限を超えると、複数の長帯部２３の長さ方向を底面部と平行に保ちつつ当該物品保持用シート２１を包装箱３１内に収容することが困難となるおそれがあり、その結果当該物品保持用シート２１が第１側面パネル２及び第３側面パネル４の上下方向にずれやすくなるおそれがある。
【００４０】
各長帯部２３の幅の下限としては、１ｃｍが好ましく、１．５ｃｍがより好ましい。一方、各長帯部２３の幅の上限としては、４ｃｍが好ましく、３ｃｍがより好ましい。上記幅が上記下限に満たないと、当該物品保持用シート２１が複数の長帯部２３の連接方向に不必要に折れ曲がりやすくなり、包装箱３１に収容した物品Ｘの安定性が低下するおそれがある。逆に、上記幅が上記上限を超えると、当該物品保持用シート２１を物品の外形に沿って的確に折り曲げられないおそれがある。
【００４１】
また、当該物品保持用シート２１は、短帯部２２及び長帯部２３の幅が共に上記範囲であることが好ましい。当該物品保持用シート２１は、短帯部２２及び長帯部２３の幅が上記範囲内であることによって、短帯部２２及び長帯部２３の連接部分を物品Ｘの外形に沿って的確に折り曲げることができると共に、折り曲げ状態における物品保護機能を十分に高めることができる。さらに、短帯部２２及び長帯部２３の幅は上記範囲内で、かつ全て等しいことが好ましい。
【００４２】
当該物品保持用シート２１における複数の短帯部２２及び複数の長帯部２３の合計個数に対する連接方向中央部に配置される長帯部群２５における長帯部２３の個数の比の下限としては、０．１５が好ましく、０．２がより好ましい。一方、上記比の上限としては、０．４が好ましく、０．３５がより好ましい。上記比が上記下限に満たないと、当該物品保持用シート２１を第１側面パネル２及び第３側面パネル４の内面間に安定的に保持することができないおそれがある。逆に、上記比が上記上限を超えると、当該物品保持用シート２１の包装箱３１に対する着脱性が低下するおそれがある。
【００４３】
当該物品保持用シート２１における複数の短帯部２２及び複数の長帯部２３の合計個数に対する連接方向両端部に配置される長帯部群２５における長帯部２３の個数の比の下限としては、０．１が好ましく、０．１５がより好ましい。一方、上記比の上限としては、０．３が好ましく、０．２５がより好ましい。上記比が上記下限に満たないと、当該物品保持用シート２１を第１側面パネル２及び第３側面パネル４の内面間に安定的に係止することができないおそれがある。逆に、上記比が上記上限を超えると、当該物品保持用シート２１の包装箱に対する着脱性が低下するおそれがある。
【００４４】
また、当該物品保持用シート２１における連接方向中央部に配置される長帯部群２５における長帯部２３の個数は、連接方向両端部に配置される各長帯部群２５における長帯部２３の個数よりも多い方が好ましい。当該物品保持用シート２１は、包装箱３１に収容された状態で、連接方向の両端が第２側面パネル３及び第４側面パネル５に当接又は近接する位置に配置され、連接方向の中央部が第２側面パネル３及び第４側面パネル５の中間部に配置される。ここで、包装箱３１にあっては、第２側面パネル３及び第４側面パネル５との近接位置よりも第２側面パネル３及び第４側面パネル５の中間位置の方が胴膨れしやすい。この点、当該物品保持用シート２１は、包装箱３１の胴膨れしやすい位置に対応して配置される長帯部２３の個数を相対的に多くすることで、包装箱３１内における安定性を向上することができる。
【００４５】
複数の短帯部２２及び複数の長帯部２３の連接方向の合計長さ（つまり、当該物品保持用シート２１の連接方向の長さ）は、第１側面パネル２及び第３側面パネル４の左右方向長さより大きいことが好ましい。当該物品保持用シート２１は、複数の短帯部２２及び複数の長帯部２３の連接方向の合計長さが、第１側面パネル２及び第３側面パネル４の左右方向長さより大きいことによって、当該物品保持用シート２１を複数の短帯部２２及び複数の長帯部２３の連接部分で折り曲げつつ第１側面パネル２及び第３側面パネル４の左右方向両端間に亘って配設することが可能となり、包装箱３１に収容される物品Ｘをより的確に保持することができる。
【００４６】
第１側面パネル２及び第３側面パネル４の左右方向長さに対する複数の短帯部２２及び複数の長帯部２３の連接方向の合計長さの比の下限としては、１．１が好ましく、１．２がより好ましく、１．３がさらに好ましい。一方、上記比の上限としては、２が好ましく、１．８がより好ましく、１．６がさらに好ましい。上記比が上記下限に満たないと、物品を被覆した状態で連接方向の両端側を第２側面パネル３及び第４側面パネル５の内面に当接し難くなり、当該物品保持用シート２１の包装箱３１内における安定性が低下するおそれがある。逆に、上記比が上記上限を超えると、当該物品保持用シート２１が連接方向に不要に長くなり、包装箱３１に対する着脱性が低下するおそれがある。
【００４７】
＜利点＞
当該シートセットにあっては、当該物品保持用シート２１は、第２側面パネル３及び第４側面パネル５の左右方向長さよりも長さの小さい複数の短帯部２２と、第２側面パネル３及び第４側面パネル５の左右方向長さよりも長さの大きい複数の長帯部２３とが幅方向に連接されており、複数の長帯部２３の長さ方向の両端縁を第１側面パネル２及び第３側面パネル４の内面に当接した状態で、包装箱内に安定的に保持される。また、当該物品保持用シート２１は、複数の短帯部２２及び複数の長帯部２３が幅方向に連接されているので、この連接部分を物品Ｘの外形に合わせて折り曲げることができる。そのため、当該シートセットは、例えば当該物品保持用シート２１の複数の長帯部２３の長さ方向の両端縁を第１側面パネル２及び第３側面パネル４の内面に当接しつつ、包装箱３１内に載置された物品Ｘの上面側を被覆するように配設することで種々の外形を有する物品Ｘを包装箱３１内において保持することができる。特に、当該物品保持用シート２１は、複数の短帯部２２及び複数の長帯部２３の連接方向の両端領域及び中央領域に長帯部２３が位置しているため、この物品保持用シート２１の両端部及び中央部が第１側面パネル２及び第３側面パネル４に係止されるので包装箱３１内における安定性が高い。さらに、当該物品保持用シート２１は、１枚のシート状部材であるため、保管スペースを小さくすることができる。従って、当該シートセットは、物品Ｘの保護機能に優れると共に、汎用性を有し、かつ保管スペースの省スペース化を図ることができる。
【００４８】
また、当該シートセットは、箱用シート１の第１底フラップ１０乃至第４底フラップ１３がワンタッチタイプの構成を有するので、包装箱３１の底面部の寸法安定性に優れる。そのため、当該シートセットは、第１側面パネル２及び第３側面パネル４の内面に物品保持用シート２１をより安定的に係止することができ、ひいては包装箱３１内における物品Ｘの保護機能をさらに向上することができる。
【００４９】
当該物品保持用シート２１は、第２側面パネル３及び第４側面パネル５の左右方向長さよりも長さの小さい複数の短帯部２２と、第２側面パネル３及び第４側面パネル５の左右方向長さよりも長さの大きい複数の長帯部２３とが幅方向に連接され、連接方向の両端領域及び中央領域に長帯部２３が配置されているので、上述のように物品Ｘの保護機能に優れると共に、汎用性を有し、かつ保管スペースの省スペース化を図ることができる。
【００５０】
［第二実施形態］
＜物品保持用シート＞
図５の物品保持用シート４１は、図１の箱用シート１から組み立てられる包装箱３１に収容される。当該物品保持用シート４１は、組立状態で対向する第１側面パネル２及び第３側面パネル４の左右方向長さよりも長さの小さい複数の短帯部４２と、第１側面パネル２及び第３側面パネル４の左右方向長さよりも長さの大きい複数の長帯部４３とを備え、複数の短帯部４２及び複数の長帯部４３が幅方向に連接されている。また、当該物品保持用シート４１は、複数の短帯部４２及び複数の長帯部４３の連接方向の両端領域及び中央領域に長帯部４３が配置されている。当該物品保持用シート４１は、複数の短帯部４２が幅方向に連接されることで構成される略矩形状の短帯部群４４と、複数の長帯部４３が幅方向に連接されることで構成される略矩形状の長帯部群４５とが交互に配置されている。さらに、当該物品保持用シート４１は、複数の短帯部４２及び複数の長帯部４３の連接方向の両側に、つまみ部として使用される一対の開口４６を有する。
【００５１】
当該物品保持用シート４１は、図６に示すように、図１の箱用シート１から組み立てらえる包装箱３１の第１側面パネル２及び第３側面パネル４の左右方向と複数の短帯部４２及び複数の長帯部４３の長さ方向とが平行になるよう包装箱３１内に収容される。なお、当該物品保持用シート４１における第１側面パネル２及び第３側面パネル４の左右方向長さに対する短帯部４２及び長帯部４３の長さの比、各短帯部４２及び各長帯部４３の幅、複数の短帯部４２及び複数の長帯部４３の合計個数に対する各短帯部群４４における短帯部４２及び各長帯部群４５における長帯部４３の個数の比、第２側面パネル３及び第４側面パネル５の左右方向長さに対する複数の短帯部４２及び複数の長帯部４３の連接方向の合計長さの比としては、図２の物品保持用シート２１と同様とすることができる。
【００５２】
＜利点＞
当該物品保持用シート４１は、第１側面パネル２及び第３側面パネル４の左右方向長さよりも長さの小さい複数の短帯部４２と、第１側面パネル２及び第３側面パネル４の左右方向長さよりも長さの大きい複数の長帯部４３とが幅方向に連接され、連接方向の両端領域及び中央領域に長帯部４３が配置されているので、物品Ｘの保護機能に優れると共に、汎用性を有し、かつ保管スペースの省スペース化を図ることができる。
【００５３】
［その他の実施形態］
なお、本考案に係るシートセット及び物品保持用シートは、上記態様の他、種々の変更、改良を施した態様で実施することができる。例えば当該物品保持用シートは、連接方向の両端領域及び中央領域に長帯部が配置される限り、長帯部及び短帯部の配置関係は特に限定されるものではない。また、当該物品保持用シートは、必ずしも複数の短帯部から構成される短帯部群及び複数の長帯部から構成される長帯部群を有する必要はなく、１つの短帯部と１つの長帯部とが交互に連接されていてもよい。
【００５４】
上記箱用シートにおける天面形成パネル及び底面形成パネルの具体的構成は特に限定されるものではない。上記箱用シートは、例えば１つの側面パネルの上縁から延出する蓋フラップによって天面部が形成されてもよく、１つの側面パネルの下縁から延出する底フラップによって底面部が形成されてもよい。
【００５５】
当該物品保持用シートは、必ずしも複数の短帯部及び長帯部の連接方向の合計長さが、この連接方向と平行に配設される一対の側面パネルの長さよりも大きくなくてもよい。当該物品保持用シートは、上記連接方向の合計長さがこの連接方向と平行に配設される一対の側面パネルの長さ以下である場合でも、長帯部の長さ方向の両端縁を一対の側面パネルの内面に係止することで包装箱内における安定性を有する。また、当該物品保持用シートは、複数の短帯部及び複数の長帯部の連接方向長さが長い場合、この連接方向両端側を例えば包装箱の側面パネルの内面に沿うように上方に折り曲げて用いてもよい。さらに、当該物品保持用シートは、連接方向中央部の長帯部群が物品の上面側に位置し、この長帯部群の両側の短帯部群が物品の側面側に位置していなくてもよい。
【産業上の利用可能性】
【００５６】
以上のように、本考案のシートセット及び物品保持用シートは、包装箱内における物品の損傷等を防止するのに適している。
【符号の説明】
【００５７】
１  箱用シート
２  第１側面パネル
３  第２側面パネル
４  第３側面パネル
５  第４側面パネル
６，７  上側外フラップ
８，９  上側内フラップ
１０  第１底フラップ
１１  第２底フラップ
１２  第３底フラップ
１３  第４底フラップ
１０ａ，１２ａ  溝部
１０ｂ，１２ｂ  折り曲げ容易線
１４  糊代部
２１，４１  物品保持用シート
２２，４２  短帯部
２３，４３  長帯部
２４，４４  短帯部群
２５，４５  長帯部群
２６  切欠き
３１  包装箱
４６  開口
Ｘ  物品
【図１】
0003207321.tif 000003
【図２】
0003207321.tif 000004
【図３】
0003207321.tif 000005
【図４】
0003207321.tif 000006
【図５】
0003207321.tif 000007
【図６】
0003207321.tif 000008